(57)【要約】【課題】放射性物質等を含む水を深海底に長期間安全性を維持した状態で埋設する方法に関する。【解決手段】  放射性物質等を含有する水を貯蔵する蓋がついたビンまたは磁器の容器１を水で満たされたプラスチックの袋または容器３に収納し、それら全体を水が通る穴が開いたコンクリート製容器５に収納し、更にそれ全体を収納する下部に比重の大な金属等１１を内蔵し、下部と上部に海水の通る穴の開いた外側容器８から構成された放射性物質等を含有する水の深海底埋設容器【選択図】図１
2019035726.tif 000002
【特許請求の範囲】
【請求項１】
放射性物質等を含有する水を貯蔵する蓋がついたビンまたは磁器の容器、
前記容器を包む粘土を含んだ水で満たしたプラスチックの袋または容器、
前記プラスチックの袋等に収納された前記ビンまたは磁器の容器全体を収納、密閉した下部と上部に穴が開いたコンクリート製容器、
前記コンクリート製容器全体を収納する下部に比重の大な金属等を内蔵し、下部と上部に穴が開いた外側容器、
から構成される放射性物質等を含有する水の深海底埋設容器
【請求項２】
前記コンクリート製容器において、上部はビン等の容器を収納した後は上部からコンクリート製の蓋をし、かつ蓋の周囲をコンクリートで封じた、
ことを特徴とする請求項１に記載された放射性物質等を含有する水の深海底埋設容器
【請求項３】
前記外側容器において、コンクリート製容器を挿入した後、開口部を磁器製の蓋で閉じる、
ことを特徴とする請求項１に記載された放射性物質等を含有する水の深海底埋設容器
【発明の詳細な説明】
【技術分野】
【０００１】  本発明は放射性物質等を含有する水の半永久的深海底埋設方法に関する。
【背景技術】
【０００２】  トリチウム水や低レベルの放射性物資を含有する汚染水は地中への埋設も海洋投棄も地元や漁業関係者の同意を得ることは容易ではなく、それが排出される事業所は対策に困っている。なかでもトリチウム水は基本的には人体への影響はないとされているが、漁業関係者は風評を恐れ周辺海域への投棄を拒否している。地中への埋設もその地域の反対で許可を得ることは容易ではない。
【発明の概要】
【発明が解決しようとする課題】
【０００３】  上述の問題に対し、本発明はトリチウム水や低レベルの放射性物資を含有する水を深海底に安全かつ安価な装置で漁業者なども納得する半永久に深海底に埋設する方法を提供することを課題とする。
【課題を解決するための手段】
【０００４】  放射性物質等を含有する水を貯蔵する蓋がついたビンまたは磁器の容器、その容器を包む粘土を含む水で満たしたプラスチックの袋または容器、そのプラスチックの袋等に収納されたビンまたは磁器の容器全体を収納、密閉した下部と上部に穴が開いたコンクリート製容器、及びそのコンクリート製容器全体を収納する下部に比重の大な金属等を内蔵し、下部と上部に穴が開いた外側容器から構成される深海底埋設容器を深海底に投下し、泥の中に半永久的に埋設する。【０００５】  本発明のひとつの特徴に従った放射性物質等の海底埋設容器を構成するコンクリート製容器は上部はビン等の容器を収納した後は上部からコンクリート製の蓋をし、かつ蓋の周囲をコンクリートで封じることで長期間ビン等が海底の泥の中に埋もれていく間破損から守る。【０００６】  本発明のひとつの特徴に従った放射性物質等の海底埋設容器は外側容器において、コンクリート製容器を挿入した後開口部を磁器製の蓋で閉じ外側容器が腐食してもコンクリートの容器の上部を保護する。
【発明の効果】
【０００７】  本発明によれば放射性物質等を含有する水は腐食や崩壊しないと考えられているビンや磁器の容器に貯えられ深海底に着地し数千年の後には海底の泥の中に埋もれて半永久的に埋設できる。またビンや磁器のサイズは直径１〜２メートル、長さ３〜４メートルまではそれほど難しくはなく、容量で１０立方メートル程度のものは商業的に製造可能である。【０００８】  また放射性物質等を含有する水を貯えたビンや磁器の容器はプラスチックの袋や硬質プラスチックの容器で包まれた状態でコンクリートの容器に収納されることにより、万が一深海底に着地する時など衝撃で仮にビン等が破損しても当分は周囲に内容物が外部に拡散しないように保護されている。【０００９】  またビンや磁器の容器が深海底に着地した後、その外側のコンクリートの容器は場合によると１０００年以上崩壊しない場合もあると思われるが、場合によると海水中の物資やイオン等で比較的短期間に崩壊することも考えられる。その場合、崩壊したコンクリートはビン等を覆い保護する役割を果す。ビン等は長い年月の後は崩壊したコンクリートで上を覆われその上は泥などが堆積した状態で深海底に埋設され、数十年、数千年という長年月を経ても安全性は一層高まる。【００１０】  コンクリートの容器の底には海水の通る穴が開けてあり、上部にも空気の抜ける穴をあけてある。これにより深海底にコンクリートの容器が沈降していくとき水圧がかかるが、その穴を通じて海水が入り内外の圧力の差が解消される。【００１１】  ビン等には蓋をするが、それらは粘土を含む水を満たしたプラスチックの袋や容器の中に入れて深海に沈降させるので蓋のすき間を通じて粘土を含む水が内部に入りビンの内と外の圧力の差は生じずビンは割れることはない。また粘土がビン等の口と蓋の間を埋め放射性物質等の外部への拡散を防止する。【００１２】  外側の容器は金属製でもよくプラスチック製でもよく目的はその容器の下部に比重の大なる金属などを重りとして取りつけ、これにより放射性物質等を含有する水の深海底埋設容器が軟弱な深海底に着地した後も更に海底の泥の中に深く沈降するようにすることにある。これによりビンの中の放射性物質等は更に周辺の海水に交わる危険性が減り、安全性が半永久的に維持できる。【００１３】  外側の容器の上部にはコンクリートの容器を内部に収納した後、磁器製の蓋を取り付ける。これにより長年月の後に外周の容器が腐食などで崩壊した後もビン等の上は磁器製の蓋で半永久的に覆われ、かつその上に泥が堆積し放射性物質が海水と交わることを防止する。
【図面の簡単な説明】
【００１４】
【図１】本発明の一実施例を示す放射性物質等を含有する水の深海底埋設容器の断面図
【図２】本発明の図１に示す深海底埋設容器が深海底に着地した状態の断面図
【図３】本発明の図１に示す深海底埋設容器の数十年後深海底にある状態の図
【図４】本発明の図１に示す深海底埋設容器の数百年から数千年後の深海の泥の中に埋もれた状態の図
【発明を実施するための形態】
【００１５】  添付の図面を参照に本発明の実施の形態について以下に説明する。
【００１６】  図１は本発明の断面図で、ビンまたは磁器の容器１に放射性物質等を含有する水を注入した後、蓋２をして、次にその全体をプラスチックフィルムまたはその容器３に入れて、そこに粘土を含んだ水４で満たし封入する。ビンまたは磁器の容器１は半永久的に海水中でも腐食しないので内容物である放射性物質等を含有する水はその中に貯蔵され外部を汚染しない。またビンまたは磁器の容器３が万が一深海底に落下する際に割れてもプラスチックフィルム等に保護され、内容物は外部に拡散しない。次にそれ全体をコンクリート製の容器５に収納する。そのコンクリート製の容器５は上部と下部に海水の通る穴６が開けてある。そこにプラスチックフィルム３等で包んだビンまたは磁器の容器１をコンクリート製の容器５の上から挿入する。次にコンクリート製の容器５の上部をコンクリート製の蓋７をしてその周囲にコンクリートを流し込み封入する。このコンクリートが固化した後海底に投棄され海底に長年月埋もれた状態が続くと、やがて数百年、数千年後には外周のコンクリート製の容器５は場合によると崩壊するが、コンクリート製容器５はビンや磁器の容器１の外周を覆い保護する形となる。コンクリート製の容器５は下部に比重の大なる金属１１を取りつけた外側容器８に挿入し、その上部を磁器製の蓋９を取り付けて締める。この場合外側容器８は材質はプラスチックでもその他海水の腐食に強い材質であればどれでも良い。この外側容器８も上部と下部に穴１０が開けてあり、海底に落下する場合の中の水圧に差が生じないようにしてある。この下部に比重の大なる金属１１を重りとして取りつけてある外側容器８に放射性物質を含む水を貯えたビンまたは磁器の容器１を収納したコンクリート製の容器５を深海底に投棄すると、それが海底に着地した場合、より深く海底の軟弱な泥の中に潜り込むことが期待できる。またその状態で数千年の長い年月の後にはその上に厚く泥が堆積し、より一層放射性物質等を含有した水はビン等１に封じ込められた状態で深海底の泥の中に深く埋もれていくことになり安全性が維持できる。
【００１７】  図２は外側容器８が深海底に突き刺った状態を示す。
【００１８】  図３は数十年の年月の後、外側容器８が腐食しコンクリート製の容器５が深海底の泥に埋もれ、上部には外側容器８の磁器製の蓋９がかぶさった状態を示す。
【００１９】  図４は数百年、数千年の後、コンクリート製の容器５が腐食して放射性物質を含む水を含んだビン等の容器１が深海底の泥の中に埋もれ磁器製の蓋９がその上に被さった状態を示す。
【符号の説明】
【００２０】  １  ビンまたは磁器の容器
２  蓋
３  プラスチックフィルムまたは容器
４  粘土を含んだ水
５  コンクリート製の容器
６  穴
７  コンクリート製の蓋
８  外側容器
９  磁器製の蓋
１０  穴
１１  比重の大なる金属
【図１】
2019035726.tif 000003
【図２】
2019035726.tif 000004
【図３】
2019035726.tif 000005
【図４】
2019035726.tif 000006